(57)【要約】【課題】  トラバースシャーシに２本のガイドシャフトを設けると共に、このガイドシャフトに沿って移動可能に光ピックアップユニットを取付けたディスク装置であって、上記ガイドシャフトのスキュー調整を要しないでスピンドルモータの主軸と光ピックアップユニットの対物レンズの主軸の平行度を出すことが出来るディスク装置の提供。【解決手段】  光ピックアップユニット１７が移動する２本のガイドシャフト１６ａ，１６ｂに跨って支持台２２を取付け、この支持台２２にはディスクを載置して回転するターンテーブルを備えたスピンドルモータ２１を取付けている。【選択図】    図２
2006155733.tif 000002
【特許請求の範囲】
【請求項１】
トラバースシャーシに２本のガイドシャフトを設けると共に、このガイドシャフトに沿って移動可能に光ピックアップユニットを取付けたディスク装置において、上記２本のガイドシャフトに跨って支持台を取付け、この支持台にはディスクを載置して回転するターンテーブルを備えたスピンドルモータを取付けたことを特徴とする光ピックアップのガイドシャフトにスピンドルモータを取付けたディスク装置。
【請求項２】
トラバースシャーシに２本のガイドシャフトを設けると共に、このガイドシャフトに沿って移動可能に光ピックアップユニットを取付けたディスク装置において、上記２本のガイドシャフトに跨って支持台を取付け、該支持台と所定の隙間を介して調整板を取付けると共に該隙間には上記調整板が支持台から離れる方向に付勢力を与える付勢手段を設け、そしてこの調整板にはディスクを載置して回転するターンテーブルを備えたスピンドルモータを取付けたことを特徴とする光ピックアップのガイドシャフトにスピンドルモータを取付けたディスク装置。
【請求項３】
上記調整板を支持台上方に隙間を介して取付けた請求項２記載の光ピックアップのガイドシャフトにスピンドルモータを取付けたディスク装置。
【請求項４】
上記調整板を適当な位置に配置した３本のネジによって、上記隙間調整を可能とした請求項２、又は請求項３記載の光ピックアップのガイドシャフトにスピンドルモータを取付けたディスク装置。
【発明の詳細な説明】
【技術分野】
【０００１】
本発明は光ピックアップユニットが移動するガイドシャフトにスピンドルモータを取付けたディスク装置に関するものである。
【背景技術】
【０００２】
トラバースユニットにはスピンドルモータで回転するターンテーブルが備わっており、又光ピックアップユニットを取付けている。そして光ピックアップユニットはガイドシャフトに沿って移動し、ターンテーブルに装着されたディスクに光を照射して該ディスクに記録されている情報を読み取ることが出来るが、光ピックアップから照射される光をディスク面に正しく当てなくては、その反射光を正確に読み取ることが出来ない。
【０００３】
その為に、光ピックアップユニットがガイドされるガイドシャフトはディスク記録面に対して所定の距離を隔てて平行でなくてはならない。そこで、光ピックアップユニットが移動するガイドシャフトは調整可能と成っていて、製作誤差や取付け誤差に対応することが可能な構造と成っている。
【０００４】
ターンテーブルを回転するスピンドルモータはトラバースユニットのシャーシに直接ネジ止めされ、又はブラケットを介してネジ止めされるが、該スピンドルモータの主軸と光ピックアップユニットの対物レンズの主軸は互いに平行でなくてはならない。スピンドルモータの主軸が傾いている場合、該スピンドルモータの主軸に取着される上記ターンテーブルに載置したディスクは同じく傾斜し、ディスクの外周部と内周部とでの対物レンズ間距離が変化する。
【０００５】
対物レンズの位置は適切に制御され得るが、この傾き度合いが大きくなれば対物レンズの位置制御にも支障を来たして、光ピックアップユニットによる正確な読取が出来なくなる。その為に、取着したスピンドルモータの主軸と光ピッアップユニットの対物レンズの主軸の平行度を一致させる為に、ピックアップユニットが取付けられて移動する為の２本のガイドシャフトの高さが調整されている。
【０００６】
図４は従来のトラバースユニットの概略図を表した場合で、トラバースシャーシ１に２本の平行なガイドシャフト２ａ，２ｂを設け、このガイドシャフト２ａ，２ｂに光ピックアップユニット３を有す移動台４を取付けている。そして、ディスクを載置して回転するターンテーブル５を主軸に取着したスピンドルモータは該トラバースシャーシ１に固定されている。
【０００７】
この場合、上記トラバースシャーシ１は金属製の薄板から成り、所定形状に打ち抜き・曲げ成形されることでトラバースシャーシ１全体が反ったり、部分的に変形することも多い。このようなトラバースシャーシ１に２本のガイドシャフト２ａ，２ｂが取付けられている為に、このガイドシャフト２ａ，２ｂの両端は完全固定された支持構造ではなく、一方端はその高さが調整可能な支持構造と成っている。
【０００８】
従って、トラバースシャーシ１に固定したスピンドルモータの主軸と光ピックアップユニット３の対物レンズの主軸が互いに平行に成るように、上記２本のガイドシャフト２ａ，２ｂの高さ調整が行われる。しかし、この調整は熟練を要すと共に時間もかかり、又専用の調整治具を必要とすることから、ディスク装置の組立て作業の中でも面倒な工程の１つとされている。
【０００９】
特開２０００−２２２８０３号に係る「光ディスク装置」は、装置ベースと別体の上下回動可能なトラバースベース(トラバースシャーシ)にターンテーブルとその駆動用の第１モータ(スピンドルモータ)、光ピックアップ及びその駆動機構を設けている。そして、上記スピンドルモータはトラバースシャーシに直接ネジ止めされた取付け構造であり、スピンドルモータの主軸の傾きは光ピックアップが取付けられるガイドの調整にて是正される。
【００１０】
特開２００４−２８０９８３号に係る「ディスク装置」は、ディスクモータは金属製の固定シャーシに取付けられ、光ピックアップは可動シャーシに取付けている。そして、該可動シャーシは光ピックアップの移動方向と直交する方向の一方の端部にチルト機構を備えて、光ピックアップに設けている対物レンズの主軸がディスクモータの主軸との平行度を出すための調整を行うように構成している。この場合も、ディスクモータ(スピンドルモータ)はシャーシに固定され、該スピンドルモータの主軸に光ピックアップを位置合わせする構造と成っている。
【特許文献１】特開２０００−２２２８０３号に係る「光ディスク装置」
【特許文献２】特開２００４−２８０９８３号に係る「ディスク装置」
【発明の開示】
【発明が解決しようとする課題】
【００１１】
このように、従来の光ピックアップユニットを移動可能に支持するガイドシャフトのスキュー調整機構には上記のごとき問題がある。本発明が解決しようとする課題はこの問題点であり、上記ガイドシャフトのスキュー調整を必要としないディスク装置を提供する。
【課題を解決するための手段】
【００１２】
本発明に係るディスク装置では、光ピックアップユニットが移動する為のガイドシャフトを両側に設け、ガイドシャフトの両端は樹脂製の支持部にて支持され、両ガイドシャフトは互いに平行を成すと共に金属製のトラバースシャーシ面とも平行に取付けられている。ここで、上記支持部は従来のようなガイドシャフト先端の高さ調整機構は原則として不要である。
【００１３】
そして、本発明ではディスクを回転するスピンドルモータを上記金属製のトラバースシャーシではなく、ガイドシャフトに取付けた構造とする。勿論、支持台を両ガイドシャフトに跨って取付け、この支持台にスピンドルモータが取着される。支持台は光ピックアップユニットのように移動する必要はなく、所定の位置で固定される。また、支持台にスピンドルモータが完全固定される場合の他に、該スピンドルモータを傾き調整可能に取付けることも可能である。
【発明の効果】
【００１４】
本発明のディスク装置は、ガイドシャフトに光ピックアップユニットとスピンドルモータが共に取付けられた構造としている。従って、光ピックアップユニットとスピンドルモータの相対位置関係は正確に保たれることから、スピンドルモータの主軸は光ピックアップユニットに設けられる対物レンズの主軸との平行度が確保される。従って、従来のようなガイドシャフトの調整は原則不要と成り、ひいては、ディスク装置の製作工数は緩和され、製作コストも安くなる。又、ガイドシャフトの先端が調整機構なしで支持される為に、その支持構造は安定する。
【実施例】
【００１５】
図１はディスク装置を示す外観図である。正面中央部にはディスクを載置して出し入れするトレイ１１が突出し、また複数のプッシュボタン１２ａ，１２ｂ・・が備わっている。ここで、上記プッシュボタン１２ａ，１２ｂ・・の機能は特に限定することはないが、例えばディスク装置の場合、１２ａは再生ボタン、１２ｂは早送りボタン、１２ｃは早戻しボタン、１２ｄはスキップボタン、１２ｅはトレイオープンボタンとして機能させることが出来る。
【００１６】
そして、プッシュボタン１２ａ，１２ｂ・・の配置は自由であり、フロントパネルの外観要素の１つとしてデザインされる。ここで、ディスク装置の正面には化粧板１３が貼着され、この化粧板１３は同図に示しているようにキャビネット１４と同じ大きさを成し、キャビネット１４の縁が表面化しないことでディスク装置の正面意匠が向上するデザインとなっている。
【００１７】
図２は光ピックアップユニット１７とスピンドルモータ２１、及びガイドシャフト１６ａ，１６ｂのみを表してモデル化したトラバースユニットを示す平面図である。トラバースシャーシ１５には２本のガイドシャフト１６ａ，１６ｂが平行に取付けられ、光ピックアップユニット１７は両ガイドシャフト１６ａ，１６ｂを案内ガイドとして移動することが出来る。ここで、光ピックアップユニット１７の移動手段は限定しないことにするが、一般的には光ピックアップユニット１７が取付けられる移動台１８に備えたラックがモータにて回転駆動するギアと噛み合い、該ギアの回転に伴って移動する。
【００１８】
光ピックアップユニット１７を備えた移動台１８にはガイド１９ａ，１９ｂ，１９ｃが設けられ、これらガイド１９ａ，１９ｂ，１９ｃは両ガイドシャフト１６ａ，１６ｂに拘束されて移動することが出来る。ところで、上記ガイドシャフト１６ａはその両端がトラバースシャーシ１５から起立した支持部２０ａ，２０ａに取付けられ、該シャーシ面に対して平行を成している。同じくガイドシャフト１６ｂもその両端が支持部２０ｂ，２０ｂに取付けられて、該シャーシ面に対して平行を成している。そして、光ピックアップユニット１７が移動できるように、両ガイドシャフト１６ａ，１６ｂは互いに平行に支持されている。
【００１９】
一方、本発明では、スピンドルモータ２１もガイドシャフト１６ａ，１６ｂに取付けられている。すなわち、支持台２２は両ガイドシャフト１６ａ，１６ｂに跨って支持され、この支持台２２にスピンドルモータ２１が固定されている。支持台２２は一般に樹脂の成形品であって、スピンドルモータ２１は支持台２２に形成した穴に嵌合して取付けられ、上方へ突出した主軸２３にはターンテーブル２４が取着されている。
【００２０】
上記支持台２２は樹脂の成形以外に、アルミダイキャストにて成形することも可能であるが、その成形寸法の精度は高く、両ガイドシャフト１６ａ，１６ｂに対してスピンドルモータ２１の主軸２３は垂直に延び、ターンテーブル２４の載置面は両ガイドシャフト１６ａ，１６ｂを含む平面と平行となる。
【００２１】
同じく、移動台１８に取付けられている光ピックアップユニット１７の場合も、該移動台１８の成形寸法精度は高く、光ピックアップユニット１７に設けている対物レンズの主軸は両ガイドシャフト１６ａ，１６ｂに対して垂直を成している。従って、該対物レンズの主軸はスピンドルモータ２１の主軸２３と平行に位置し、その結果、ガイドシャフト１６ａ，１６ｂの位置調整を行う必要がない。すなわち、光ピックアップユニット１７及びスピンドルモータ２１は、共にガイドシャフト１６ａ，１６ｂに取付けられることで、相対的な位置決めが正確に行われる。
【００２２】
図３は本発明の他の実施例であり、両ガイドシャフト１６ａ，１６ｂには光ピックアップユニット１７を取付けた移動台１８が移動可能に支持され、スピンドルモータ２１を取付けた支持台２５も両ガイドシャフト１６ａ，１６ｂに跨って取着されている。しかし、該実施例では、支持台２５に調整板２６が組み合わされた構造と成っている。
【００２３】
上記調整板２６は支持台２５の上方に所定の隙間２７を残して配置され、しかもこの隙間２７は３本のネジ２８，２８，２８にて調整可能と成っている。調整板２６は支持台側から挿通した上記３本のネジ２８，２８，２８がネジ穴に螺合し、支持台２５と調整板２６との隙間２７に介在しているコイルバネ２９，２９，２９によって支えられている。ここで、コイルバネ２９，２９，２９は調整板２６を持ち上げるようにバネ力を付勢している。
【００２４】
従って、ネジ２８を締めるならば調整板２６が支持台２５側へ引っ張られて隙間２７が小さく成り、逆にネジ２８を弛める場合には調整板２６は支持台２５から離れて隙間２７は大きくなる。従って３本のネジ２８，２８，２８を適度に調整することで、該調整板２６の水平度を適度に調節することが出来る。そして、スピンドルモータ２１は調整板２６にネジ止めにて固定されているために、上記ネジ２８，２８，２８の調整にて該スピンドルモータ２１の主軸２３が適度に調整される。
【００２５】
前記図３では調整板２６が支持台２５の上方にネジ２８，２８・・とコイルバネ２９，２９・・を介して支持された構造と成っているが、調整板２６は支持台２５の下側に設けて調整可能とすることも可能である。この場合には、３本のネジによって調整板を吊設し、しかも隙間にコイルバネを介在することで調整板を下方へ押下げるバネ力を付勢する。このように、コイルバネを介在することで調整板はガタ付くことなく安定して取付けられると共に、ネジの弛みを防止する効果もある。
【００２６】
光ピックアップユニット１７と同じガイドシャフト１６ａ，１６ｂによって支持されるスピンドルモータ２１は原則的に正しく位置決めされるが、前記図３に示す調整機構により必要に応じて微調整が行われる。しかし、一方スピンドルモータ２１を前記図２のように支持台２２に固定して、光ピックアップユニット１７を微調整可能とするように構成することも出来る。
【図面の簡単な説明】
【００２７】
【図１】ディスク装置の外観図。
【図２】トラバースユニットのシャーシに設けたガイドシャフトに光ピックアップユニットとスピンドルモータを取付けた場合。
【図３】トラバースユニットのシャーシに設けたガイドシャフトに光ピックアップユニットとスピンドルモータを取付けた場合。
【図４】トラバースユニットのシャーシにスピンドルモータを取付け、ガイドシャフトに光ピックアップユニットを取付けた従来例。
【符号の説明】
【００２８】
11  トレイ
12  プッシュボタン
13  化粧板
14  キャビネット
15  シャーシ
16  ガイドシャフト
17  光ピックアップユニット
18  移動台
19  ガイド
20  支持部
21  スピンドルモータ
22  支持台
23  主軸
24  ターンテーブル
25  支持台
26  調整板
27  隙間
28  ネジ
29  コイルバネ
【図１】
2006155733.tif 000003
【図２】
2006155733.tif 000004
【図３】
2006155733.tif 000005
【図４】
2006155733.tif 000006